(57)【要約】      （修正有）【課題】ロックの解除に鍵が不要なアルミサッシ窓のロック式ストッパーを提供する。【解決手段】台座体１０と、係止部材２０と、留め部材３０と、ロック部材４０とによって構成する。台座体の中央には収容部１１が設けられるとともに、収容部の隣には、収容部と相互に連通する貫通孔１３と通溝１２が設けられ、係止部材は台座体の収容部内に枢設され、留め部材は通溝に設けられ、ロック部材は貫通孔に設けられる。係止部材の一端には当接部２７が設けられ、ロック部材の側壁には、係止部材の当接部の後方に選択的に当接する係止ブロック４６が設けられ、係止ブロックとロック部材は連動して回転する。【選択図】図１
0003161701.tif 000002
【実用新案登録請求の範囲】
【請求項１】
台座体と、係止部材と、ロック部材とによって構成するアルミサッシ窓のロック式ストッパーにおいて、
台座体の中央には収容部が設けられるとともに、収容部の隣には、収容部と相互に連通する貫通孔が設けられ、
係止部材は台座体の収容部内に枢設され、係止部材の一端には当接部が設けられ、
ロック部材は、台座体の貫通孔内に設けられ、
ロック部材の側壁には、係止部材の当接部の後方に選択的に当接する係止ブロックが設けられ、係止ブロックとロック部材は連動して回転することを特徴とする、アルミサッシ窓のロック式ストッパー。
【請求項２】
該台座体には、収容部と相互に連通する通溝が設けられ、通溝内には留め部材が設けられ、留め部材の前端の中段箇所には突起部材が設けられ、留め部材の前端の下縁には斜面が設けられ、該係止部材の他端には、支持部材及び嵌合溝がさらに設けられることを特徴とする、請求項１に記載のアルミサッシ窓のロック式ストッパー。
【請求項３】
該台座体には底板が設けられ、底板には、弾性体を取り付けるための凸柱が設けられることを特徴とする、請求項１に記載のアルミサッシ窓のロック式ストッパー。
【請求項４】
該係止部材の両側面には、係止部材を貫通する枢設孔が設けられ、該係止部材の枢設孔と該台座体に設けられた枢設孔に枢設部材を貫設することで、該係止部材は該台座体の収容部内に枢設されることを特徴とする、請求項１に記載のアルミサッシ窓のロック式ストッパー。
【請求項５】
該係止部材の一側の底面にはバネ収容溝が設けられ、バネ収容には弾性体が設けられることを特徴とする、請求項１に記載のアルミサッシ窓のロック式ストッパー。
【請求項６】
該係止部材の一側の底面にはコイルスプリングが設けられ、コイルスプリングは、枢設部材を用いて該係止部材を該収容部内に枢設する際に、一緒に該収容部内に設けられ、コイルスプリングの両側の脚部は該台座体の側壁の孔に枢設されることを特徴とする、請求項１に記載のアルミサッシ窓のロック式ストッパー。
【請求項７】
該係止部材の当接部の末端は傾斜平面であり、該係止部材の上表面は粗い表面を形成することを特徴とする、請求項１に記載のアルミサッシ窓のロック式ストッパー。
【請求項８】
該留め部材の内部には凸柱が横向きに設けられ、凸柱にはバネが取り付けられることを特徴とする、請求項２に記載のアルミサッシ窓のロック式ストッパー。
【請求項９】
該ロック部材の頂面には凹溝が設けられ、該ロック部材の中段には軸孔が横向きに設けられ、該ロック部材の底部には底リングが嵌合され、底リングの一側には係止ブロックが設けられ、底リングには軸孔が横向きに設けられ、底リングの軸孔とロック部材の軸孔は相互に対応し、軸部材によって、該ロック部材と底リングは枢設されることを特徴とする、請求項１に記載のアルミサッシ窓のロック式ストッパー。
【請求項１０】
該底リングの側縁には位置限定弾性ブロックが設けられることを特徴とする、請求項９に記載のアルミサッシ窓のロック式ストッパー。
【請求項１１】
該位置限定弾性ブロックの側辺には凸リブが設けられ、凸リブは、該台座体の収容部内壁の凹溝部内に嵌入されることを特徴とする、請求項１０に記載のアルミサッシ窓のロック式ストッパー。
【請求項１２】
台座体と、係止部材と、ロック部材とによって構成するアルミサッシ窓のロック式ストッパーにおいて、
台座体の中央には収容部が設けられ、収容部の隣には、収容部と相互に連通する貫通孔が設けられ、
係止部材は、台座体の収容部内に枢設され、係止部材の一端には支持部材と嵌合溝が設けられ、
ロック部材は、台座体の貫通孔内に設けられ、ロック部材の側壁には、係止部材の後方に選択的に当接する係止ブロックが設けられ、係止ブロックとロック部材は連動して回転することを特徴とする、アルミサッシ窓のロック式ストッパー。
【請求項１３】
該台座体には、該収容部と相互に連通する通溝が設けられ、通溝内には留め部材が設けられ、留め部材の前端の底部には面取り角が設けられ、該係止部材の他端には当接部が設けられ、該係止部材の当接部の端部は傾斜平面であり、留め部材の面取り角は該係止部材の当接部の傾斜平面に対応することを特徴とする、請求項１２に記載のアルミサッシ窓のロック式ストッパー。
【請求項１４】
該台座体には底板が設けられ、底板には、弾性体を取り付けるための凸柱が設けられることを特徴とする、請求項１２に記載のアルミサッシ窓のロック式ストッパー。
【請求項１５】
該係止部材の両側面には係止部材を貫通する枢設孔が設けられ、該係止部材の枢設孔と該台座体に設けられた枢設孔に枢設部材を貫設することで、該係止部材は該台座体の収容部内に枢設されることを特徴とする、請求項１２に記載のアルミサッシ窓のロック式ストッパー。
【請求項１６】
該係止部材の一側の底面にはバネ収容溝が設けられ、バネ収容には弾性体が設けられることを特徴とする、請求項１２に記載のアルミサッシ窓のロック式ストッパー。
【請求項１７】
該係止部材の一側の底面にはコイルスプリングが設けられ、コイルスプリングは、枢設部材を用いて該係止部材を該収容部内に枢設する際に、一緒に該収容部内に設けられ、コイルスプリングの両側の脚部は該台座体の側壁の孔に枢設されることを特徴とする、請求項１２に記載のアルミサッシ窓のロック式ストッパー。
【請求項１８】
該留め部材の内部には凸柱が横向きに設けられ、凸柱にはバネが取り付けられることを特徴とする、請求項１３に記載のアルミサッシ窓のロック式ストッパー。
【請求項１９】
該ロック部材の頂面には凹溝が設けられるとともに、該ロック部材の中段には軸孔が横向きに設けられ、該ロック部材の底部には底リングが嵌合され、底リングの一側には係止ブロックが設けられるとともに、底リングには軸孔が横向きに設けられ、底リングの軸孔と該ロック部材の軸孔は相互に対応し、軸部材によって、該ロック部材と底リングは枢設されることを特徴とする、請求項１２に記載のアルミサッシ窓のロック式ストッパー。
【請求項２０】
該底リングの側縁には位置限定弾性ブロックが設けられることを特徴とする、請求項１９に記載のアルミサッシ窓のロック式ストッパー。
【請求項２１】
該位置限定弾性ブロックの側辺には凸リブが設けられ、凸リブは、該台座体の収容部内壁の凹溝部内に嵌入されることを特徴とする、請求項２０に記載のアルミサッシ窓のロック式ストッパー。
【考案の詳細な説明】
【技術分野】
【０００１】
本考案はアルミサッシ窓のロック式ストッパーに関する。
【背景技術】
【０００２】
建築物の窓は、窓を開けた時の安全性を考慮し、窓の外に鉄やアルミの格子が設けられることが多い。それにより、子供が転落するのを防ぐことができるものの、火災が発生した時に逃げられなくなったり、消防員が入って来られなくなったりするなど安全性に問題をかかえている。しかも、多くの高級住宅は、建築物の外観を維持しなければならないという規約の制限があるため、窓に鉄格子を設けることができないことがある。従って、通常は、アルミサッシ窓にストッパーをつけることで、外窓サッシを開ける距離を制限し、開きすぎた窓から子供が転落するのを防いでいる。
【０００３】
本考案者による考案である台湾特許第Ｍ３４４３７８号の「アルミサッシ窓のストッパー」においては、台座体中央の収容部内に係止部材を設け、係止部材を台座体から起き上がらせることで窓の開度の制限を実現している。また、係止部材の一側に配置された留め部材を、係止部材の端部に当接させることにより位置決めを行う。該係止部材による窓の開度の制限を解除し、窓サッシを完全に開きたい時は、留め部材をスライドさせて、係止部材を台座体の収容部内に収容させることで、窓の開度の制限を解除することができる。また、台湾特許第Ｍ３４０３３３号の「アルミサッシ窓の防犯ストッパー」においては、両側に留め部材を設けて係止部材を制御している。上記の二つのストッパーは、いずれも、鍵を必要とせず、手動でロックの解除を行うことができる。
【０００４】
台湾特許第Ｉ２８６５８６号の「アルミサッシ窓のストッパー」は、台座体と、少なくとも一つのロック部材と、少なくとも一つの弾性係止部材とによって構成する。その内、台座体には、該弾性係止部材を収納するための収容部が設けられるとともに、該収容部の一側には該ロック部材が取り付けられ、ロック部材を利用することにより、収容部内から起き上がらせた或いは収容部内に収納させた弾性係止部材をロックすることができる。弾性係止部材を収容部内から起き上がらせた時は、窓サッシを開けられる距離が制限され、弾性係止部材を収容部内に収納させた時は、窓サッシを開けられる距離に制限がなくなり、一般の窓サッシの機能と同じになる。しかしながら、この台湾特許第Ｉ２８６５８６号の「アルミサッシ窓のストッパー」は、ストッパーの係止部材を収容部内から起き上がらせてさらにロックすることで子供が窓から転落することや泥棒が入ってくるのを防ぐことはできるものの、火災などの緊急事態が発生した際に問題が生じる。即ち、緊急事態が発生したときは、係止部材を収容部内に収容させ、窓サッシを全開にさせなければならないが、係止部材は、ロック部材によって制御されているため、係止部材を収容部内から起き上がらせる時も、収容部内に収容する時も、必ず鍵でロック部材をいちいち開錠しなければならず、使用上かなり不便である。しかも、子供が該ロック部材を簡単に解除できないようにその鍵を隠しておかなければならないが、緊急事態の時に鍵が見つからないことがあり、危険性をはらんでいる。
【先行技術文献】
【特許文献】
【０００５】
【特許文献１】台湾特許第Ｍ３４４３７８号明細書
【特許文献２】台湾特許第Ｍ３４０３３３号明細書
【特許文献３】台湾特許第Ｉ２８６５８６号明細書
【考案の概要】
【考案が解決しようとする課題】
【０００６】
そこで、本考案は、ロックの解除に鍵が不要なアルミサッシ窓のロック式ストッパーを提供することを目的とする。
【課題を解決するための手段】
【０００７】
本考案によるアルミサッシ窓のロック式ストッパーは、台座体と、係止部材と、留め部材と、ロック部材とによって構成する。台座体の中央には収容部が設けられるとともに、収容部の隣には、収容部と相互に連通する貫通孔と通溝が設けられ、係止部材は台座体の収容部内に枢設され、留め部材は通溝に設けられ、ロック部材は貫通孔に設けられる。係止部材の一端には当接部が設けられ、ロック部材の側壁には、係止部材の当接部の後方に選択的に当接する係止ブロックが設けられ、係止ブロックとロック部材は連動して回転する。
【考案の効果】
【０００８】
本考案によるアルミサッシ窓のロック式ストッパーは、ロックに鍵を必要とせず、板状の物や銅板によってロックを解除することができるため、緊急事態が発生した時に、本考案の使用者は身につけている物品で素早くロックを解除でき、安全性が高い。
【図面の簡単な説明】
【０００９】
【図１】本考案の実施例１の構造を示した分解図である。
【図２】本考案の実施例１の外観を示した斜視図である。
【図３】本考案の実施例１の係止部材を台座体から起き上がらせた状態を示した断面図である。
【図３ａ】図３の一部の構造を示した断面図である。
【図４】本考案の実施例１の係止部材を台座体から起き上がらせた時の外観を示した斜視図である。
【図４ａ】図４のロック部材の底リングの位置関係を示した説明図である。
【図５】本考案の実施例１の係止部材を台座体に収容した時の外観を示した斜視図である。
【図５ａ】図５のロック部材の底リングの位置関係を示した説明図である。
【図６】本考案の実施例１の係止部材を台座体に収容した状態を示した断面図である。
【図７】本考案の実施例２の構造を示した分解図である。
【図８】本考案の実施例２の外観を示した斜視図である。
【図９】本考案の実施例２の係止部材を台座体から起き上がらせた状態を示した断面図である。
【図１０】本考案の実施例２の係止部材を台座体から起き上がらせた時の外観を示した斜視図である。
【図１０ａ】図１０のロック部材の底リングの位置関係を示した説明図である。
【図１１】本考案の実施例２の係止部材を台座体に収容した時の外観を示した斜視図である。
【図１１ａ】図１１のロック部材の底リングの位置関係を示した説明図である。
【図１２】本考案の実施例２の係止部材を台座体に収容した状態を示した断面図である。
【図１３】本考案を窓サッシに取り付けた状態を示した説明図である。
【図１４】本考案の底リングの別の実施例を示した外観図である。
【図１５】本考案の図１４の底リングが連結されたロック部材を回転させたときの変化を示した説明図である。
【図１６】本考案の実施例３の構造を示した分解図である。
【考案を実施するための形態】
【００１０】
（実施例１）
図１から図３に示すように、本考案によるアルミサッシ窓のロック式ストッパーは、台座体１０と、係止部材２０と、留め部材３０と、ロック部材４０とによって構成する。また、本考案によるアルミサッシ窓のロック式ストッパーは、金属部材が水分に触れて錆びてしまうのを防ぐために、台座体１０の底面に底板１４を設けることができ、底板１４は台座体１０の底部に嵌合されて固定される。なお、底板１４を設けても設けなくても、ストッパー全体の機能には影響がない。また、底板１４には弾性体を位置決めするための複数の凸柱１６が設けられる。また、台座体１０には収容部１１が設けられ、収容部１１の両側壁には、それぞれ枢設孔１５が設けられる（図１に図示）。収容部１１の隣には、相互に連通する通溝１２（図３に図示）と貫通孔１３が設けられ、実施例１においては、通溝１２は収容部１１の左側に設けられ、貫通孔１３は収容部１１の右側に設けられる。
【００１１】
係止部材２０の両側面には、係止部材２０を貫通する枢設孔２２が設けられ、枢設部材２１を枢設孔１５と枢設孔２２に貫設することにより、係止部材２０は台座体１０の収容部１１内に枢設される。係止部材２０の一側の底面にはバネ収容溝２４が設けられ、バネ収容溝２４内には弾性体が取り付けられる。実施例１において、弾性体はバネ２３である。係止部材２０の一端には当接部２７が設けられ、当接部２７の末端は傾斜平面２９であり、係止部材２０の他端には二本の支持部材２５が設けられ、二本の支持部材２５の間には嵌合溝２６が設けられ、係止部材２０の上表面は、粗い表面２８を形成する。
【００１２】
留め部材３０は、台座体１０の通溝１２内に設けられ、留め部材３０の頂部には、粗い表面をもつ凸ブロック３１が設けられる。なお、凸ブロック３１は、凹んだ粗目構造にすることもできる。留め部材３０の内部には、凸柱３２が横向きに設けられ、凸柱３２にはバネ３３が取り付けられる。留め部材３０の前端の中段箇所には突起部材３４が設けられ、留め部材３０前端の下縁には斜面３５が設けられる。また、別の実施例においては、留め部材３０に弾性作用を設けなくてもよく、即ち、凸柱３２とバネ３３の設置は省略できる。留め部材３０は、通溝１２内で左右に移動させることができ、それにより、係止部材２０を制動することができる。
【００１３】
ロック部材４０は、台座体１０の貫通孔１３内に設けられ、ロック部材４０の頂面中央には凹溝４４が設けられ、ロック部材４０の中段箇所には、軸孔４５が横向きに設けられ、ロック部材４０の底部には底リング４２が嵌合され、底リング４２の一側には係止ブロック４６が設けられ、底リングには軸孔４７が横向きに設けられ、軸孔４７とロック部材４０の軸孔４５は相互に対応し、軸部材４１によって、ロック部材４０と底リング４２は枢設される。なお、好ましい実施例においては、ロック部材４０の頂面の凹溝４４と係止ブロック４６は同一方向を向いている。また、底リング４２の側縁には、位置限定弾性ブロック４３（図４ａに図示）が設けられ、位置限定弾性ブロック４３は、弾性の特質を有している。
【００１４】
図３ａに示すように、ロック部材４０の凹溝４４の周囲の下方には、係合溝４８と傾斜した凸縁４９が設けられ、ロック部材４０を貫通孔１３に連結させる時、傾斜した凸縁４９を台座体１０の貫通孔の周縁の薄板に強制的に嵌めこむことにより、薄板は係合溝４８に係合し、固定される。図４ａに示すように、位置限定弾性ブロック４３は貫通孔１３の側壁に取り付けられ、位置限定弾性ブロック４３の側辺に設けられた凸リブ６０を凹溝部１７に嵌入させることで（図４ａに図示）、位置決めの作用を達成する。
【００１５】
図３と図４に示すように、本考案を組み立てた後、留め部材３０を後ろに移動させると（図においては左方向）バネ３３は縮み、係止部材２０のバネ２３が伸張して係止部材２０の右端を起き上がらせる。この時、枢設部材２１による制限を受け、係止部材２０の内の嵌合溝２６が設けられた端部は下に沈み、留め部材３０から手を放すと、留め部材３０の前端の突起部材３４は係止部材２０の嵌合溝２６に嵌合し、それと同時に、支持部材２５は斜面３５に当接する。この時、係止部材２０は窓の開度を制限することができるものの、まだロック部材４０によってロックされていない。硬貨などの平らな物を凹溝４４に差込みロック部材４０を回転させると、当接部２７の後方は係止ブロック４６によって係止され、当接部２７を下方向に押すことができなくなるため、ロックの効果が生じる。この時、ロック部材４０の後方は位置限定弾性ブロック４３に当接し、ロック部材４０の方向は一定に保たれる（図４ａに図示）。
【００１６】
図５、図６に示すように、ロックを解除したい時は、まず、ロック部材４０を所定の角度で回転させると、係止ブロック４６は係止部材２０の当接部２７の後方の位置から移動し（図５ａに図示）、当接部２７は宙に浮いた状態になり、さらに、留め部材３０を後方に引っ張ると、突起部材３４が嵌合溝２６から外れる。この時、係止部材２０の起き上がっている端部を下方に押すと、バネ２３は圧縮された状態に戻ってバネ収容溝２４内に収容される。最後に、留め部材３０から手を放すと、ロック解除の動作が完成する。
【００１７】
（実施例２）
図７、図８は、本考案によるアルミサッシ窓のロック式ストッパーの実施例２を示している。実施例２のストッパーの構造は、実施例１とほぼ同じであるが、台座体１０の内部の留め部材３０とロック部材４０の設置位置を逆にしている点が異なる。また、留め部材３０の構造も実施例１とは異なる。留め部材３０の頂部には、粗い表面をもつ凸ブロック３１が設けられ（この凸ブロックは凹んだ粗目構造にすることもできる）、留め部材３０の底部は穴をくりぬかれた状態になっており、留め部材３０の内部には凸柱３２が横向きに設けられ、凸柱３２にはバネ３３が取り付けられる。また、留め部材３０の前端の底部には、係止部材２０の当接部２７の傾斜平面２９に対応する面取り角３６が設けられる。
【００１８】
図９、図１０に示すように、係止部材２０を台座体１０内から起き上がらせたい時は、まず、留め部材３０を後ろに移動させると、バネ２３に押し上げられて係止部材２０の当接部２７が起き上がる。そして、留め部材３０から手を離すと、留め部材３０はスライドして当接部２７後方に当接する。この時、係止部材２０は、窓の開度を制限することができるものの、まだロック部材４０によってロックされていない。その後、硬貨などの平らな物を凹溝４４に差込みロック部材４０を回転させると、底リング４２の係止ブロック４６が支持部材２５の後方に当接し（図１０ａに図示）、それにより、係止部材２０はロックされた状態になり、元の位置に戻らなくなる。また、ロック部材４０の底端の斜面が位置限定弾性ブロック４３に当接して位置決めされる。
【００１９】
図１１、図１１ａ、図１２に示すように、係止部材２０を台座体１０内に収容させたい場合は、まず、手動で留め部材３０を後ろに移動させ、次に、ロック部材４０を回転させることで底リング４２の係止ブロック４６を支持部材２５の後方の位置から移動させ、さらに、係止部材２０の起き上がっている側の端部を手で押し、留め部材３０から手を放すと、留め部材３０の前端下縁に設けられた面取り角３６が係止部材２０の当接部２７の末端の傾斜平面２９に当接し、係止部材２０の外部が平坦面に保たれる。
【００２０】
図１３に示すように、本考案のストッパーは外窓サッシ５１の室内側の横フレーム５２に取り付けられ、係止部材２０が起き上がって台座体１０の外に突出した時、内窓サッシ５０と外窓サッシ５１の開度を制限することができ、泥棒の窓からの侵入と子供の窓からの転落を防ぐ効果がある。
【００２１】
図１４及び図１５は、本考案の底リング４２の別の実施例を示している。本実施例の底リング４２の両外側には、凸状板体６１が設けられる。硬貨などの平らな物をロック部材４０の凹溝４４に差し込んで回転させると、底リング４２も連動して回転し、係止ブロック４６と凸状板体６１は共に係止部材２０の支持部材２５の後方の位置に移動する。それにより、係止部材２０は元の位置に戻れなくなる。
【００２２】
（実施例３）
図１６に示すように、実施例３においては、底板１４が設けられていない。台座体１０の両側壁には孔１８が設けられ、係止部材２０の底面の弾性体はコイルスプリング２３ａを採用する。枢設部材２１を用いて係止部材２０を収容部１１内に枢設する際に、コイルスプリング２３ａも一緒に収容部１１内に設けられ、その際、コイルスプリング２３ａの両側の脚部２３ｂは台座体１０の側壁の孔１８に枢設される。コイルスプリング２３ａは、その開口を右側に向けることも左側に向けることもできる。
【００２３】
図１と図７の実施例においては、留め部材３０が設けられ、留め部材３０を通溝１２内で左右に移動させることで、係止部材２０を制動する機能を達成し、係止部材２０が元の位置に戻れるかどうかを制御しており、さらに、係止部材２０の隣に設けられたロック部材４０を回転させることにより、係止部材２０をロックしている。しかしながら、留め部材３０と通溝１２は省略することができ、係止部材２０を台座体から起きあがらせた後、直接、ロック部材４０を回転させれば、同様の機能を達成することができる。
【符号の説明】
【００２４】
１０    台座体                
１１    収容部
１２    通溝                
１３    貫通孔
１４    底板                
１５    枢設孔
１６    凸柱                
１７    凹溝部
１８    孔
２０    係止部材              
２１    枢設部材
２２    枢設孔                
２３    バネ
２３ａ    コイルスプリング                
２３ｂ    脚部
２４    バネ収容溝          
２５    支持部材
２６    嵌合溝                
２７    当接部
２８    粗い表面              
２９    傾斜平面
３０    留め部材                
３１    凸ブロック
３２    凸柱                
３３    バネ
３４    突起部材                
３５    斜面
３６    面取り角
４０    ロック部材              
４１    軸部材
４２    底リング                
４３    位置限定弾性ブロック
４４    凹溝                
４５    軸孔
４６    係止ブロック                
４７    軸孔
４８    係合溝                
４９    傾斜した凸縁
５０    内窓サッシ              
５１    外窓サッシ
５２    横フレーム
６０    凸リブ                
６１    凸状板体
【図１】
0003161701.tif 000003
【図２】
0003161701.tif 000004
【図３】
0003161701.tif 000005
【図３ａ】
0003161701.tif 000006
【図４】
0003161701.tif 000007
【図４ａ】
0003161701.tif 000008
【図５】
0003161701.tif 000009
【図５ａ】
0003161701.tif 000010
【図６】
0003161701.tif 000011
【図７】
0003161701.tif 000012
【図８】
0003161701.tif 000013
【図９】
0003161701.tif 000014
【図１０】
0003161701.tif 000015
【図１０ａ】
0003161701.tif 000016
【図１１】
0003161701.tif 000017
【図１１ａ】
0003161701.tif 000018
【図１２】
0003161701.tif 000019
【図１３】
0003161701.tif 000020
【図１４】
0003161701.tif 000021
【図１５】
0003161701.tif 000022
【図１６】
0003161701.tif 000023